(57)【要約】      （修正有）【課題】電子ペンを本体に収納することで持ち運び時に電子ペンが紛失することを防止すると同時に、防水に容易に対応する情報表示装置を提供する。【解決手段】ペン型入力装置２００によって情報入力が可能な情報表示装置であって、画面に情報を表示する情報表示部と、情報表示部を載置する枠体１２０と、枠体１２０に沿って設けられたペン型入力装置２００を収納可能なペン型入力装置収納部１２７とを備える。これにより、ペン型入力装置２００を本体に収納することで持ち運び時にペン型入力装置２００が紛失することを防止することができる。【選択図】図１１
2020197982.tif 000002
【特許請求の範囲】
【請求項１】
ペン型入力装置によって情報入力が可能な情報表示装置であって、
画面に情報を表示する情報表示部と、
前記情報表示部を載置する枠体と、
前記枠体に沿って設けられた前記ペン型入力装置を収納可能なペン型入力装置収納部と、を備える
情報表示装置。
【請求項２】
前記枠体は、前記ペン型入力装置収納部の位置に凹部を備え、
前記凹部は、一つ又は複数の端子と、前記端子を覆うカバーを備える
請求項１に記載の情報表示装置。
【請求項３】
前記カバーと前記凹部との間に、前記ペン型入力装置収納部が設けられる
請求項２に記載の情報表示装置。
【請求項４】
前記端子の一つが、電源端子である
請求項２又は請求項３に記載の情報表示装置。
【請求項５】
前記情報表示部と前記枠体との間がシーリングされている
請求項１から請求項４のいずれか１項に記載の情報表示装置。
【請求項６】
前記情報表示部は、前記ペン型入力装置によって情報入力が可能なタッチパネルを備える
請求項１から請求項５のいずれか１項に記載の情報表示装置。
【発明の詳細な説明】
【技術分野】
【０００１】
本発明は、情報表示装置に関する。
【背景技術】
【０００２】
電子黒板のように電子ペンでディスプレイ上に文字や図形を書き込むことができるデバイスが教育市場やオフィス市場にて近年導入されつつある。また、近年はノートＰＣやスマートフォンなどのモバイル端末においても、同様に電子ペンで書き込み可能な製品が出てきている。
【０００３】
電子黒板は据え置きの機械であるため専用のペントレーなどを設けて電子ペンの置き場とする例がある。また、モバイル端末の場合には電子ペンが紛失しないよう電子ペンを筐体内部に収納する技術が考えられ既に知られている（特許文献１、特許文献２）。
【発明の概要】
【発明が解決しようとする課題】
【０００４】
モバイル性の高い端末の場合、筐体の一部で電子ペンを保持する構造では移動時に電子ペンを紛失してしまうリスクが高いため、筐体内部に収納することは優先度の高い対応項目の１つである。従来の電子ペン収納構造は、電子ペンの収納のみを目的とした構造であったため、電子ペン収納部を設けることでコストアップが発生するという問題があった。
【０００５】
また、近年のディスプレイ製品は狭ベゼル化が進んでおり、電子ペン収納部はディスプレイ背面に設けられる場合が多い。モバイル性の高いディスプレイ製品の場合、ディスプレイ製品の防水性が求められるケースが多いと言えるが、電子ペン収納部がディスプレイ背面にあった場合、別途防水対策を施す必要が生じ、それによってもコストアップが発生するという問題があった。
【０００６】
本発明は、電子ペンを本体に収納することで持ち運び時に電子ペンが紛失することを防止すると同時に、防水に容易に対応できることを目的とする。
【課題を解決するための手段】
【０００７】
開示の技術は、ペン型入力装置によって情報入力が可能な情報表示装置であって、画面に情報を表示する情報表示部と、前記情報表示部を載置する枠体と、前記枠体に沿って設けられた前記ペン型入力装置を収納可能なペン型入力装置収納部と、を備える情報表示装置である。
【発明の効果】
【０００８】
開示の技術によれば、電子ペンを本体に収納することで持ち運び時に電子ペンが紛失することを防止すると同時に、防水に容易に対応できる。
【図面の簡単な説明】
【０００９】
【図１】本実施形態の情報表示装置の一例の斜視図である。
【図２】本実施形態の情報表示装置の一例の正面図である。
【図３】本実施形態の情報表示装置の一例の側面図である。
【図４】本実施形態の情報表示装置の一例の分解斜視図である。
【図５】本実施形態の情報表示装置の一例の分解斜視図の一部拡大図である。
【図６】本実施形態の情報表示装置の一例の一部断面図である。
【図７】本実施形態の情報表示装置の一例のインターフェース部の拡大図である。
【図８】本実施形態の情報表示装置の一例のインターフェース部の拡大図である。
【図９】本実施形態の情報表示装置の一例のカバーの拡大図である。
【図１０】本実施形態の情報表示装置の一例のカバーの拡大図である。
【図１１】本実施形態の情報表示装置の一例のカバーの拡大図である。
【図１２】本実施形態の情報表示装置の一例の防水構造について説明する図である。
【図１３】従来の情報表示装置の防水構造の例について説明する図である。
【図１４】本実施形態の情報表示装置の変形例について説明する図である。
【図１５】本実施形態の情報表示装置の変形例について説明する図である。
【図１６】本実施形態の情報表示装置の変形例について説明する図である。
【発明を実施するための形態】
【００１０】
以下に図面を参照して本実施形態について説明する。
【００１１】
図１は、本実施形態の情報表示装置１００の斜視図である。図２は、本実施形態の情報表示装置１００の正面図である。図３は、本実施形態の情報表示装置１００の側面図である。図４は、本実施形態の情報表示装置１００の分解斜視図である。図５は、本実施形態の情報表示装置１００の分解斜視図の一部拡大図、具体的には、図４のＡの部分の拡大図である。
【００１２】
図１に示すように、本実施形態の情報表示装置１００はＰＣなどから入力された画像を表示する。また、情報表示装置１００は、専用のペン型入力装置２００を用いることによって、ディスプレイ面に自由に文字や図形を筆記することができる。すなわち、情報表示装置１００は、ペン型入力装置２００によって情報入力が可能となっている。
【００１３】
情報表示装置１００は、情報表示部１１０と、枠体１２０と、背面カバー１４０と、を備える。
【００１４】
情報表示部１１０は、画面にＰＣなどから入力された画像等の情報を表示する。また、情報表示部１１０は、タッチパネル等を備え、専用のペン型入力装置２００を用いることによって、ディスプレイ面に自由に文字や図形を筆記することができるようになっている。
【００１５】
枠体１２０は、情報表示部１１０を支持する部材である。枠体１２０は、情報表示部１１０を載置するとともに、情報表示部１１０の側部を覆うように備えられている。また、枠体１２０は、側面の一部にインターフェース部１３０を備える。インターフェース部１３０は、情報表示部１１０に接続する端子（インターフェース）が設けられている。
【００１６】
背面カバー１４０は、情報表示部１１０の背面を保護する。背面カバー１４０は、枠体１２０に載置される。
【００１７】
ここで、情報表示装置１００の防塵、防水構造について説明する。図６は、本実施形態の情報表示装置１００の防塵、防水構造を説明するための一部断面図である。
【００１８】
図５、図６に示すように、枠体１２０の情報表示部１１０が載置される部分は、載置面１２１が形成されている。載置面１２１に載置された情報表示部１１０は、接着部材１２２により固定される。接着部材１２２は、両面テープ又は接着剤である。情報表示部１１０と枠体１２０は、接着部材１２２によって、防塵、防水性が保たれる。
【００１９】
また、背面カバー１４０についても、枠体１２０の背面カバー１４０を載置する載置面１２３で、接着部材１２４により固定される。接着部材１２２は、両面テープ又は接着剤である。接着部材１２４によって、背面カバー１４０と枠体１２０は、防塵、防水性が保たれる。
【００２０】
このように、本実施形態の情報表示装置１００は屋外での利用するために、防塵、防水対応がなされている。また、ペン型入力装置２００も、防塵、防水対応がなされている。
【００２１】
本実施形態の情報表示装置１００の特長の１つとして、図１又は図３に示すように厚さが薄いという点が挙げられる。このように薄く、また軽く設計することによって、インチ数の大きなディスプレイを用いていても可搬性に優れたディスプレイ製品を生み出すことが可能である。
【００２２】
また、図３に示すように、本実施形態の情報表示装置１００のもう１つの特長として背面が完全なフラットになっている点が挙げられる。したがって、本実施形態の情報表示装置１００を机の上に平置きすることが可能である。例えば、複数人で本実施形態の情報表示装置１００を囲んでディスカッションを行うことができる。なお、本実施形態の情報表示装置１００は複数人で同時に筆記できるように、複数本のペン型入力装置２００での入力に対応できるようになっている。
【００２３】
図７、図８は、本実施形態の情報表示装置１００のインターフェース部１３０の拡大図である。本実施形態の情報表示装置１００は枠体１２０の側面にインターフェース部１３０を備える。インターフェース部１３０は、電源コネクタ１３１（電源端子）と、通信コネクタ１３２、１３３を備える。すなわち、インターフェース部１３０は、複数のインターフェース（端子）を備える。
【００２４】
また、枠体１２０は、凹部１２５を備える。インターフェース部１３０は、情報表示装置１００の枠体１２０の凹部１２５に形成されている。これにより、図８に示すように電源コネクタ１３１に電源ケーブル３００を接続した際に、電源ケーブル３００が突出しないようすることができる。また、凹部１２５は、後述するように、ペン型入力装置２００が収納可能になっている。
【００２５】
本実施形態の情報表示装置１００は、上下左右からの複数台の情報表示装置１００を連結（タイリング）ができるようになっている。そのため、電源ケーブル３００が突出する量は小さいほど好ましい。したがって、電源コネクタ１３１を含むインターフェース部１３０は、枠体１２０に対して凹になっている凹部１２５に設けられている。なお、本実施形態の情報表示装置１００は、上下左右の枠体１２０の内部に赤外線センサを備える。当該赤外線センサにより、隣に連結された情報表示装置１００の有無を検出する。
【００２６】
図９、図１０は、本実施形態の情報表示装置１００のカバー１２６の拡大図である。図７、図８に示すようにインターフェース部１３０が露出する構成であっても機能上は特に問題ない。しかしながら、意匠的な観点で見るとカバーをしてインターフェース部１３０を隠した方がすっきりとした印象をユーザーに与える。そのため、以下の図９、図１０に示すように本実施形態の情報表示装置１００は、インターフェース部１３０を覆うカバー１２６を備える。本実施形態のカバー１２６は、枠体１２０に軸支されており、当該軸を中心に回転することができる。
【００２７】
図１１は、本実施形態の情報表示装置１００のカバー１２６の拡大図である。図１１に示すように、カバー１２６は、カバー１２６のインターフェース部１３０側に、ペン型入力装置収納部１２７を備える。上述のように電源ケーブル３００を含む各種ケーブル類を突出差せずに極力隠すために、インターフェース部１３０は、枠体１２０に対して凹となっている凹部１２５に設けられている。それにより、カバー１２６と枠体１２０との間に空間を形成することが可能である。そこで、その空間をペン型入力装置収納部１２７として活用することができる。
【００２８】
本体内部に収納せず筐体外装に引っ掛ける場合には、持ち運び中に何かとぶつかってペン型入力装置２００が落下し紛失する恐れがある。本実施形態の情報表示装置１００は、可搬時、すなわち、情報表示装置１００の非動作時にペン型入力装置２００を筐体内部に収納して持ち運ぶことが可能になる。それにより、ペン型入力装置２００の紛失リスクを低減することができる。
【００２９】
また、本実施形態の情報表示装置１００のように、インターフェース部１３０に、ペン型入力装置収納部１２７が形成されていることによって、ユーザーが電源を接続しようとする際にペン型入力装置２００の収納場所に気付くことができる。
【００３０】
一般に筐体内部にペン型入力装置２００を収納する構造の場合、ユーザーがペン型入力装置２００の存在に気付き難くなる。例えば、使う機会の多い個人所有のデバイスであれば一度ペンの位置に気付けば良いためそのような問題は生じない。しかしながら、複数人で共有することも想定されたデバイスで不特定の人物が利用するようなデバイスの場合には初見でどこにペン型入力装置２００があるかわからない。そして、ペンの位置がわかりにくいことは情報入力を行う上で大きな問題となりうる。
【００３１】
それに対して、本実施形態の情報表示装置１００ように電源コネクタ１３１を含むインターフェース部１３０に、ペン型入力装置収納部１２７が配置されている。そのように配置されることによって、ユーザーが持ち運んだあと電源を入れる際に必ずペン型入力装置２００の存在に気付くことができる。このように、ユーザーが使用する際にペン型入力装置２００（電子ペン）の収納箇所を容易に認識することができる。
【００３２】
さらに、上述のように、本実施形態の情報表示装置１００は屋外でも使われる。本実施形態の情報表示装置１００は、屋外での利用を想定して防水対応がなされている。防水対応で重要となるのが情報表示部のシーリングである。当該情報表示部のシーリングは情報表示部１１０と枠体１２０との間でなされている。
【００３３】
また、インターフェース部１３０の電源コネクタ１３１と、通信コネクタ１３２、１３３についても防水対策が行われている。すなわち、本実施形態の情報表示装置１００は、カバー１２６をつけなくても防水性は担保されているのである。そのため、カバー１２６にペン型入力装置収納部１２７を設けたとしても本体側に対して追加の防水対策を施す必要はない。この点に関して、更に詳細に説明をする。
【００３４】
図１２は、本実施形態の情報表示装置の一例の防水構造について説明する図である。図１３は、従来の情報表示装置の防水構造の例について説明する図である。
【００３５】
図１２は、本実施形態の情報表示装置１００のシーリング部１５０とペン型入力装置収納部１２７の位置関係を示す。情報表示装置１００の側面の枠体１２０とペン型入力装置収納部１２７は平行になっている。すなわち、ペン型入力装置収納部１２７は、枠体１２０に沿って設けられている。そのため、ペン型入力装置収納部１２７はシーリング部１５０の外側に配置されている。
【００３６】
図１３は、従来の情報表示装置５００のシーリング部５５０とペン型入力装置収納部５２７の位置関係を示す。従来の情報表示装置５００の側面の枠体５２０に対してペン型入力装置収納部５２７が直交する構成となっている。このような構成の場合にはペン型入力装置収納部５２７がディスプレイのシーリング部５５０を貫通する形になるため、別途追加の防水構造５５２を設けないとペン型入力装置収納部５２７の近傍から水が浸水してきてしまう。
【００３７】
一般に狭ベゼル化が進むスマートフォンなどのモバイル端末の場合には図１３のような形態になっている場合が多い。しかしながら、本実施形態の情報表示装置１００のように図１２に示すような枠体１２０に対してペン型入力装置収納部１２７が平行になるような構成であれば、シーリング部１５０を貫通することなくその外側にペン型入力装置収納部１２７を設けることが可能となる。それにより、新たにシーリング部を追加することなく、防水機能を担保することが可能となる。
【００３８】
なお、ペン型入力装置２００についても、水がかかる状況での使用を想定しているため、防水機能を有している。そのことから、シーリング部１５０の外側にあっても問題はない。
【００３９】
＜効果・作用＞
以上より、本実施形態の情報表示装置１００では、ユーザーが意識しなくともペン型入力装置２００の収納箇所に気付けると同時に、シーリング部を新たに追加することなく防水機能を満足させることができる。
【００４０】
電子ペン収納部がインターフェース（電源コネクタなど）のカバーの内側に設けられており、電子ペンが枠体（ベゼル）に対して平行に収納される構造になっている。電子ペン収納部がインターフェースのカバーの内側に設けられているため、ユーザーが本製品を使用するため電源コネクタに電源ケーブルを刺す時点で電子ペンの存在に気付くと言える。また、電子ペンがベゼルに対して平行に収納される構造になっているため、ディスプレイとベゼルのシーリング領域外に電子ペン収納部を設けることできる。そのため、電子ペン収納部を設けることでディスプレイ側のシーリング領域に穴を開けることがないため、別途防水構造を設ける必要がない。
【００４１】
なお、水にぬれた状態での使用も検討しているためディスプレイ本体だけでなく電子ペン側も防水構造となっている。電子ペン収納部はシーリング領域外にあるが電子ペン自体が防水構造になっているため、電子ペン収納部は防水構造にする必要はない。
【００４２】
＜変形例＞
図１４は、本実施形態の情報表示装置の変形例ついて説明する図である。図７にように、インターフェース部１３０には電源ケーブル３００が接続される。枠体１２０のインターフェース部１３０の反対側に、図１４の凹部１２８を備えるようにしてもよい。凹部１２８によって、情報表示装置１００を並べた場合に、隣の情報表示装置１００に接続された電源ケーブル３００が枠体１２０と干渉することを防止することができる。
【００４３】
情報表示装置１００の枠体１２０のカバーの変形例１について説明する。図１５は、本実施形態の情報表示装置の変形例について説明する図である。図１５（Ａ）は、変形例のカバー１２６１部分の斜視図である。図１５（Ｂ）は、カバー１２６１にペン型入力装置２１０を保持した状態を示す斜視図である。図１５（Ｃ）は、ペン型入力装置２１０の側面図である。図１５（Ｄ）は、ペン型入力装置２１０の凹部２１１とカバー１２６１の凸部１２６２が嵌合した状態を示す図である。
【００４４】
カバー１２６１は、凸部１２６２を備える。凸部１２６２は、先端が弾性変形可能な形状を有している。また、ペン型入力装置２１０は、凹部２１１を備える。凹部２１１は、一部が広くなった溝状になっている。図１５（Ｂ）に示すように、矢印Ｄの方向に引き抜くことによりペン型入力装置２１０をカバー１２６１から取り外すことができる。また、矢印Ｄと反対方向に押し込むことにより、ペン型入力装置２１０をカバー１２６１に取り付けるができる。このようにして、ペン型入力装置を確実に保持することができる。
【００４５】
情報表示装置１００の枠体１２０のカバーの変形例２について説明する。図１６は、本実施形態の情報表示装置の変形例の枠体について説明する図である。図１６（Ａ）は、変形例のカバー１２６５部分の斜視図である。図１６（Ｂ）は、ペン型入力装置２２０の正面図である。カバー１２６５は、図１６（Ａ）に示すようにシャッターである。図１６の矢印Ｄの方向に引き出すことにより、インターフェース部１３０を外部から遮蔽させることができる。また、矢印Ｄと反対方向に押し込むことにより、インターフェース部１３０を露出させることができる。この場合には、カバー１２６５にペン型入力装置を保持させることができない。そこで、ペン型入力装置２２０は、ペン型入力装置２２０の側面に磁石２２１、２２２を備える。その磁石２２１、２２２が、インターフェース部１３０に設けられている金属部材に引き寄せられることにより、ペン型入力装置２００を保持する。
【００４６】
なお、今回開示された実施形態はすべての点で例示であって制限的なものではないと考えられるべきである。上記の実施形態は、添付の請求の範囲及びその主旨を逸脱することなく、様々な形態で省略、置換、変更されてもよい。
【符号の説明】
【００４７】
１００  情報表示装置
１１０  情報表示部
１２０  枠体
１２５  凹部
１２６  カバー
１２７  ペン型入力装置収納部
１３０  インターフェース部
１３１  電源コネクタ
１３２  通信コネクタ
１３３  通信コネクタ
１５０  シーリング部
２００  ペン型入力装置
２１０  ペン型入力装置
２２０  ペン型入力装置
３００  電源ケーブル
【先行技術文献】
【特許文献】
【００４８】
【特許文献１】特開２０１６−１２６４１２号公報
【特許文献２】特開平０６−１１０５９５号公報
【図１】
2020197982.tif 000003
【図２】
2020197982.tif 000004
【図３】
2020197982.tif 000005
【図４】
2020197982.tif 000006
【図５】
2020197982.tif 000007
【図６】
2020197982.tif 000008
【図７】
2020197982.tif 000009
【図８】
2020197982.tif 000010
【図９】
2020197982.tif 000011
【図１０】
2020197982.tif 000012
【図１１】
2020197982.tif 000013
【図１２】
2020197982.tif 000014
【図１３】
2020197982.tif 000015
【図１４】
2020197982.tif 000016
【図１５】
2020197982.tif 000017
【図１６】
2020197982.tif 000018